(57)【要約】【課題】  ＰＳ版の現像により現像液中に溶け出した画像着色剤がヒータに析出して固形化することを防止する。【解決手段】  現像槽２４内の第１スプレーパイプ５１に、現像液を供給する。現像槽２４内に、ヒータ８８を設ける。液流形成ユニット９１は、液流形成ヘッド９２、分岐管９３を備える。分岐管９３は、ゴムホース９４を介して、第１スプレーパイプ５１の分岐パイプ５１ｂに接続される。第１スプレーパイプ５１を流れる現像液の一部が、液流形成ヘッド９２に送られる。隙間形成リング９５によって、ヒータ８８の外周面と液流形成ヘッド９２の内周面との隙間が一定に保たれ、ヒータ８８の外周面に現像液が均一にヒータ８８の長手方向に沿って流出する。液流形成ヘッド９２に、ヒータカバー９６を取り付ける。ヒータカバー９６の内周面に１３／１０００の勾配のテーパ面９６ａを設ける。【選択図】        図４
2006047383.tif 000002
【特許請求の範囲】
【請求項１】
感光材料を処理する処理液が貯留される処理槽と、この処理槽内に配置され前記処理液を加熱するヒータとを有する感光材料処理装置において、
前記ヒータを覆うように取り付けられ、前記ヒータの外面近くでヒータの表面に前記処理液の流れを形成する液流形成手段を備えることを特徴とする感光材料処理装置。
【請求項２】
前記ヒータは棒状に形成され、前記液流形成手段は、前記ヒータの長手方向に沿った前記処理液の流れを形成することを特徴とする請求項１記載の感光材料処理装置。
【請求項３】
前記処理液を前記処理槽内に送る処理液供給パイプ、前記処理槽に貯留された前記処理液を排出口から排出した後に前記処理液供給パイプを介して循環させる処理液循環手段を備え、
前記液流形成手段は、前記ヒータの外面との間に流出開口を有する液流形成ヘッドを備え、この液流形成ヘッドに前記処理液供給パイプから前記処理液を供給することを特徴とする請求項２記載の感光材料処理装置。
【請求項４】
前記流出開口は、前記ヒータの外面と前記液流形成ヘッドとの間に形成される隙間であり、前記液流形成ヘッドは前記隙間を一定に保持する隙間保持部材を有することを特徴とする請求項２または３記載の感光材料処理装置。
【請求項５】
前記液流形成ヘッドに設けられ、前記ヒータを覆い、前記流出開口から流出される前記処理液を前記ヒータの長手方向に沿って案内する筒状のガイドカバーを有することを特徴とする請求項２ないし４いずれか１つ記載の感光材料処理装置。
【請求項６】
前記ガイドカバーと前記ヒータとの隙間が前記ヒータの長手方向に沿って次第に狭く形成されていることを特徴とする請求項５記載の感光材料処理装置。
【請求項７】
前記液流形成ヘッド及び前記ガイドカバーは着脱自在に設けられていることを特徴とする請求項５または６記載の感光材料処理装置。
【請求項８】
前記ヒータの表面の前記処理液の流速を０．０５ｍ／Ｓｅｃ〜５．０ｍ／Ｓｅｃとすることを特徴とする請求項１ないし７いずれか１つ記載の感光材料処理装置。
【発明の詳細な説明】
【技術分野】
【０００１】
本発明は、感光性平版印刷版などの感光材料を搬送しながら処理液中で処理する感光材料処理装置に関するものである。
【背景技術】
【０００２】
感光材料には、アルミニウム等の支持体に感光層を設けた感光性平版印刷版（以下、単にＰＳ版と称する）があり、このＰＳ版を処理する感光材料処理装置であるＰＳ版プロセッサでは、ＰＳ版を現像液に浸漬して処理する現像工程、水洗水をＰＳ版に吹き付けて水洗処理をする水洗工程、水洗処理の終了したＰＳ版の表面にガム液等の不感脂化処理液を塗布して不感脂化処理を施す不感脂化工程等の、処理液を用いた複数の処理工程が設けられ、画像露光されたＰＳ版に、現像、水洗及び不感脂化処理等を施すようになっている。
【０００３】
このようなＰＳ版プロセッサの現像工程では、現像槽内に現像液を貯留して、ＰＳ版をこの現像液に浸漬しながら搬送することにより、画像露光によって不要となった感光層を、ＰＳ版の表面から除去するようになっている。この現像液中ではＰＳ版の現像処理中にＰＳ版から溶け出した例えば画像着色剤成分などが析出して凝集し、これらが固形物となり、これがＰＳ版に付着してしまうという弊害があった。ＰＳ版に固形物が付着した状態で現像処理を終了すると、印刷時に付着した固形物によって印刷汚れが発生する不都合がある。このため、処理液中の微粒子成分やゴミなどが感光材料に付着することがないように、フィルタで濾過することが行われている（特許文献１，２参照）。また、処理槽底部から処理液を吐出するパイプを所定高さまで突出させることにより、処理槽の底板上に沈殿している沈殿物を液吐出時に巻き上げてしまうことを防止し、感光材料への沈殿物の付着を防止することも行われている（特許文献３参照）。
【０００４】
【特許文献１】特開平５−１１９４５４号公報
【特許文献２】特開２００２−３４１５０４号公報
【特許文献３】特開２００３−２７０７６６号公報
【発明の開示】
【発明が解決しようとする課題】
【０００５】
上記のように処理液を使用し続けると液が疲労し、この疲労によって発生する固形物は感光材料への付着という問題を引き起し、改善が望まれていた。このため、現像液内に生じる固形物の発生要因を鋭意検討した結果、以下のように現像液とこの現像液を一定温度に保持するためのヒータとの関連で固形物が発生することを本発明者は見出した。すなわち、ＰＳ版には水溶性でない画像着色剤を使用しているものがあり、これが現像液中で析出しないように、バインダ成分により分散状態を保つようなシステムが組まれている。このようなＰＳ版を処理すると、ＰＳ版からこの画像着色剤が現像液中に出てきて、ＰＳ版に含まれるバインダ成分が作用して分散状態となり、現像液中に存在し、あたかも溶けているような状態を作り出す。そして、ＰＳ版の処理が大量に行われると、画像着色剤成分濃度が上昇する。このとき、現像液の温度を一定に維持するためのヒータがオンとなると、ヒータ表面で現像液の温度が上昇する。従来のヒータ駆動では、例えば稼働開始時などにおいて待機時間が最短時間となるように、ヒータによる処理液のヒートアップ処理はフルパワーで行うようにしている。このヒートアップ処理でヒータの表面温度が約８０℃を超えるような状況になると、前記画像着色剤の分散状態が壊れて、ヒータ表面に固形物として出てくることを本発明者は見出した。固形化した一部の画像着色剤はヒータから離れて、ＰＳ版に付着してしまう。
【０００６】
そこで、現像液中に固形物が発生しないようにするために、ヒータ表面近くの現像液温度を一定温度以下にする必要がある。ヒータ表面近くの現像液温度を一定温度以下にする対策としては、ヒータ表面積を大きくしてワット密度を下げる手法や、ヒータ表面への現像液の循環流速を大きくする手法が考えられるが、この場合には、現像部ヒータの大型化が必要になったり、大容量の循環ポンプが必要になるなどの弊害がある。また、循環流の当たりにくい部分では画像着色剤成分の固形化を防ぐことが困難であり、根本的な解決にはつながらない。さらには、ヒータ容量を小さくすることでワット密度を下げる手法も考えられるが、この場合には現像液のヒートアップ時に時間がかかってしまうという新たな問題が発生する。通常の朝の起動時には、タイマースタンバイ処理などでこの問題は解決可能であるから、低容量ヒータでも不具合は発生することはないが、新液調製ではこのタイマースタンバイ処理を使用することができないため、新液調製時に水道水の温度が低い場合にヒートアップ時間が長くなってしまうという問題がある。
【０００７】
本発明は、上記課題を解決するためになされたものであり、処理液中の固形物などが感光材料に付着することがないようにし、しかも新液調製時のヒートアップ時間が長くなることがないようにした感光材料処理装置を提供することを目的とする。
【課題を解決するための手段】
【０００８】
上記目的を達成するために、本発明の感光材料処理装置は、感光材料を処理する処理液が貯留される処理槽と、この処理槽内に配置され前記処理液を加熱するヒータとを有する感光材料処理装置において、前記ヒータを覆うように取り付けられ、前記ヒータの外面近くでヒータの表面に前記処理液の流れを形成する液流形成手段を備えることを特徴とする
。
【０００９】
なお、前記ヒータは棒状に形成され、前記液流形成手段は、前記ヒータの長手方向に沿った前記処理液の流れを形成することが好ましい。
【００１０】
また、前記処理液を前記処理槽内に送る処理液供給パイプ、前記処理槽に貯留された前記処理液を排出口から排出した後に前記処理液供給パイプを介して循環させる処理液循環手段を備え、前記液流形成手段は、前記ヒータの外面との間に流出開口を有する液流形成ヘッドを備え、この液流形成ヘッドに前記処理液供給パイプから前記処理液を供給することが好ましい。
【００１１】
さらに、前記流出開口は、前記ヒータの外面と前記液流形成ヘッドとの間に形成される隙間であり、前記液流形成ヘッドは前記隙間を一定に保持する隙間保持部材を有することが好ましい。
【００１２】
また、前記液流形成ヘッドに設けられ、前記ヒータを覆い、前記流出開口から流出される前記処理液を前記ヒータの長手方向に沿って案内する筒状のガイドカバーを有することが好ましい。
【００１３】
さらに、前記ガイドカバーと前記ヒータとの隙間が前記ヒータの長手方向に沿って次第に狭く形成されていることが好ましい。
【００１４】
また、前記液流形成ヘッド及び前記ガイドカバーは着脱自在に設けられていることが好ましい。
【００１５】
前記ヒータの表面の前記処理液の流速を０．０５ｍ／Ｓｅｃ〜５．０ｍ／Ｓｅｃとすることが好ましい。
【発明の効果】
【００１６】
本発明の感光材料処理装置によれば、感光材料を処理する処理液が貯留される処理槽と、この処理槽内に配置され処理液を加熱するヒータと、ヒータを覆うように取り付けられ、ヒータの外面近くでヒータの表面に処理液の流れを形成する液流形成手段を備えるから、感光材料の処理中に溶け出した画像着色剤がヒータの表面に析出して固形化することを防止することができ、固形化したものの一部がヒータの表面から離れて感光材料に付着して印刷時に印刷汚れとなって現れることを防止することができるため、感光材料の品質を向上することができる。
【００１７】
また、ヒータは棒状に形成され、液流形成手段は、ヒータの長手方向に沿った処理液の流れを形成するから、長形状のヒータの場合にも、確実に処理液をヒータの長手方向に沿って流すことができる。
【００１８】
さらに、処理液を処理槽内に送る処理液供給パイプ、処理槽に貯留された処理液を排出口から排出した後に処理液供給パイプを介して循環させる処理液循環手段を備え、液流形成手段は、ヒータの外面との間に流出開口を有する液流形成ヘッドを備え、この液流形成ヘッドに処理液供給パイプから処理液を供給するから、確実に処理液をヒータの外面近くでヒータの長手方向に沿って流すことができる。
【００１９】
また、流出開口は、ヒータの外面と液流形成ヘッドとの間に形成される隙間であり、液流形成ヘッドは隙間を一定に保持する隙間保持部材を有するから、より一層確実に処理液をヒータの外面近くでヒータの長手方向に沿って流すことができる。
【００２０】
さらに、液流形成ヘッドに設けられ、ヒータを覆い、流出開口から流出される処理液をヒータの長手方向に沿って案内する筒状のガイドカバーを有するから、流出開口から流出される処理液をヒータの外面近くでヒータの長手方向に沿って流すことができる。
【００２１】
また、ガイドカバーとヒータとの隙間がヒータの長手方向に沿って次第に狭く形成されているから、表面温度が高くなる傾向があるヒータの先端部の温度を低下させることができる。
【００２２】
さらに、液流形成ヘッド及びガイドカバーは着脱自在に設けられているから、定期的なメンテナンス等において、ヒータを清掃する場合には、液流形成ヘッド及びガイドカバーを取り外すことにより、容易にヒータを清掃することができる。
【００２３】
また、ヒータの表面の処理液の流速を０．０５ｍ／Ｓｅｃ〜５．０ｍ／Ｓｅｃとするから、より一層確実に感光材料の処理中に溶け出した画像着色剤がヒータの表面に析出して固形化することを防止することができるため、より一層確実に感光材料の品質を向上することができる。
【発明を実施するための最良の形態】
【００２４】
図１は、本実施を実施したＰＳ版プロセッサ１０を示している。このＰＳ版プロセッサ１０は、感光材料として図示しない露光装置によって画像露光されたフォトポリマー版などのＰＳ版１２の現像処理を行う。なお、ＰＳ版１２は、アルミニウム板等の薄肉矩形平板を支持体として、この支持体に感光層を形成しており、フォトポリマー版は、光接合層、光重合層及びオーバーコート層が重ねられて感光層が形成され、レーザ光により画像の露光がなされることにより光重合層の画像部の重合反応が促進される。
【００２５】
ＰＳ版プロセッサ１０には、ＰＳ版１２を現像液によって処理するための現像部１４と、現像液によって処理されたＰＳ版１２へ水洗水を供給して水洗する水洗部１６と、水洗後のＰＳ版１２にガム液を塗布して不感脂化処理する不感脂化処理部１８と、ＰＳ版１２を乾燥させる乾燥部２０とが設けられている。
【００２６】
ＰＳ版プロセッサ１０内には、処理タンク２２が設けられている。この処理タンク２２には、処理槽として現像部１４となる位置に現像槽２４が形成され、水洗部１６及び不感脂化処理部１８となる位置に水洗槽及び不感脂化処理槽（ともに図示せず）が形成されている。
【００２７】
処理タンク２２を覆う外板パネル３０には、スリット状の挿入口３２が形成され、この挿入口からＰＳ版１２が挿入される。
【００２８】
現像部１４の挿入口３２の内側には、ゴム製の搬送ローラ対４２が設けられている。この搬送ローラ対４２は、矢印Ａ方向に沿って挿入されたＰＳ版１２を現像部１４に送る。
【００２９】
現像槽２４は、底部中央が下方へ向けて突出された略山形状となっており、処理液としてＰＳ版１２の現像処理を行うための現像液を貯留する。この現像槽２４には、ＰＳ版１２の搬送方向に沿った下側にガイド板４４、４６が底部に沿って設けられている。また、ガイド板４４，４６の間には搬送ローラ対４５が設けられている。これらガイド板４４，４６、及び搬送ローラ対４５によって、ＰＳ版１２は、現像槽２４内を略Ｕ字状に案内搬送されながら、現像液に浸漬される。この現像液への浸漬により、ＰＳ版１２の画像露光によって感光した感光層の不要な部分が現像液により膨潤し、支持体から剥離され、露光画像に応じた不要な感光層が除去される。
【００３０】
現像槽２４内には、ガイド板４４、４６の下面側に第１,第２スプレーパイプ（処理液供給パイプ）５１,５２が設けられている。また、ガイド板４４、４６のそれぞれには、多数の通液孔（図示省略）が穿設されている。第１,第２スプレーパイプ５１,５２には、循環用の循環ポンプ５３によって吸引した現像槽２４内の現像液がフィルタ５４を介して供給されるようになっている。
【００３１】
図２に示すように、第１スプレーパイプ５１は、先端に噴射口５１ａが設けられており、搬送されるＰＳ版１２の幅方向に現像液を噴射する。また、第２スプレーパイプ５２は、ＰＳ版１２の幅方向に等間隔で噴射口５２ａが設けられており、ＰＳ版１２の搬送方向に現像液を噴射する。これら第１,第２スプレーパイプ５１,５２によって、現像液が現像槽２４内で噴射されることにより、現像槽２４内の現像液が攪拌されて、ＰＳ版１２の均一な処理が行われる。このとき、ガイド板４４、４６に形成されている通液孔からＰＳ版１２の搬送路側に現像液が回りこむことにより、ＰＳ版１２の迅速な現像処理と処理ムラの発生を防止している。第１,第２スプレーパイプ５１,５２は、現像槽２４の一方の側壁から、搬送されるＰＳ版１２の幅方向に水平に現像槽２４内に突出するように取り付けられている。第１スプレーパイプ５１の取り付け側端部近くには、後に説明する液流形成ユニット９１に現像液を送るための分岐パイプ５１ｂが形成されている。
【００３２】
図１に示すように、現像槽２４内には、ガイド板４６に対向してブラシローラ６０が設けられている。このブラシローラ６０は、現像液に浸漬されながらガイド板４６上を搬送されるＰＳ版１２の表面に毛材を接触させながら回転することにより、ＰＳ版１２の表面をブラッシングして、ＰＳ版１２の表面からの不要な感光層の除去を促進している。
【００３３】
現像部１４には、下面が現像槽２４に貯留される現像液の液面より下方となるように、現像槽２４の液面上部の空間の大部分を占める液面蓋６２が配置されている。そして、現像槽２４の入口側及び出口側搬送ローラ４２，６４には、シリコンゴム製の遮蔽部材（図示せず）が配置されている。この液面蓋６２と遮蔽部材等によって現像槽２４の液面の上部がほぼ密閉空間とされ、この空間に閉じ込められた空気の量が少なくなり、また、現像液の液面近傍に新鮮な空気が入り込んでくるのが防止される。したがって、空気中の炭酸ガスによる現像液の劣化と水分の蒸発が抑えられる。
【００３４】
現像槽２４の出口側には、外周がゴム製の搬送ローラ対６４が配置されている。この搬送ローラ対６４は、搬送ローラ対４５から送られてきたＰＳ版１２を水洗部１６へ送り出す。このとき、この搬送ローラ対６４によってＰＳ版１２の表面に付着している現像液が絞り落とされながら水洗部１６へ送り込まれる。
【００３５】
水洗部１６では、水洗水をＰＳ版１２に向けて噴出することにより、ＰＳ版１２の表面に付着している現像液を洗い流す。水洗部１６を通過したＰＳ版１２は不感脂化処理部１８に送られる。不感脂化処理部１８では、ＰＳ版１２にガム液を滴下してガム液を塗布する。ガム液が塗布されたＰＳ版１２は乾燥部２０に送られて、ガム液が温風乾燥され、保護膜が形成される。保護膜が形成されたＰＳ版１２はＰＳ版プロセッサ１０から排出されて、一連の処理が終了する。なお、水洗部１６、不感脂化処理部１８、乾燥部２０は公知のものであり、特開２０００−２８４５０１号公報、同２０００−１０７７３８号公報などに詳しく説明されている。
【００３６】
ＰＳ版プロセッサ１０の現像部１４には、循環手段として循環ポンプ５３が設けられている。この循環ポンプ５３は、配管７０を介して現像槽２４の底部に形成された排出口２４ａに連結され、配管７２を介して第１,第２スプレーパイプ５１,５２のそれぞれに連結している。現像部１４では、循環ポンプ５３が作動すると現像槽２４内の現像液がフィルタ５４を介して第１,第２スプレーパイプ５１,５２に供給され、第１,第２スプレーパイプ５１,５２から噴出される。このようにして現像槽２４内の現像液が循環されることにより例えば液温が均一となるように攪拌される。本実施形態では、現像液を循環させる処理液循環手段は、循環ポンプ５３、フィルタ５４、配管７０、配管７２から構成される。
【００３７】
このＰＳ版プロセッサ１０には、現像槽２４内の現像液の劣化を防止するための補充液補充機構７４が設けられている。補充液補充機構７４は、補充用の原液を貯留する原液タンク７６と、原液タンク７６内の原液を現像槽２４へ供給する補充ポンプ７８と、現像槽２４に供給する補充用の原液を所定比率で希釈するための水が貯留される水タンク８０と、水タンク８０内の水を、現像槽２４へ供給する希釈ポンプ８２とを備えている。
【００３８】
また、ＰＳ版プロセッサ１０には、制御部８６が設けられ、循環ポンプ５３と共に、補充ポンプ７８、希釈ポンプ８２が接続されている。制御部８６は、予め設定されている所定のタイミングで、補充ポンプ７８と希釈ポンプ８２とを作動させて、補充用の原液と、この原液を予め設定されている希釈比率で希釈するための水を現像槽２４へ供給する。これにより、現像槽２４に補充液が補充される。なお、補充液補充機構７４の作動タイミングは従来公知のタイミングを適用することができ、本実施の形態では詳細な説明を省略する。
【００３９】
一方、ＰＳ版プロセッサ１０の現像槽２４内には、温調手段として円柱状で長形状のヒータ８８が設けられている。ヒータ８８は、現像槽２４内の側面に取り付けられており、現像槽２４内の現像液を加熱する。なお、必要に応じて冷却器を現像槽２４に接続し、冷却液を循環または循環停止させることで、現像槽２４内の現像液を冷却して現像液の温度を制御するようにしてもよい。また、ヒータ８８を取り付ける位置は、現像槽２４内の側面に限定されることなく、現像槽２４内の中央部や、現像槽２４内の側面と中央部との間等でもよい。
【００４０】
また、現像液を循環させる配管７０には、液温検出手段としてサーミスタ８９が設けられている。このサーミスタ８９は、ヒータ８８と共に制御部８６に接続されている。なお、サーミスタ８９は配管７０内に設ける他に、現像槽２４内に設けてもよい。
【００４１】
制御部８６では、ＰＳ版１２の処理中は、循環ポンプ５３を作動させて、現像液の循環を行いながら、サーミスタ８９が検出する現像液の液温にもとづいてヒータ８８のオン／オフ制御を行うことにより、現像槽２４内の現像液の液温を、ＰＳ版１２を最適に処理することができる温度（例えば約３０°Ｃ）に維持している。
【００４２】
このとき、従来のように、ヒータ８８を単にオン／オフ制御させるだけでは、ヒータ８８の表面近くの現像液温度が例えば約８０°Ｃを超えて上昇してしまい、現像液中の画像着色剤成分がヒータ８８の表面に析出して固形化してしまう。この固形化したものの一部はヒータ８８から離れてＰＳ版１２に付着してしまい、印刷時に印刷汚れとなって現れる。このため、本発明では、液流形成手段としての液流形成ユニット９１により、ヒータ８８の表面にヒータ８８の長手方向に現像液の強制流れを形成してヒータ８８の表面の温度が約８０℃を超えないようにして、現像液中の画像着色剤成分がヒータ８８の表面に析出することがないようにしている。図２及び図３に示すように、液流形成ユニット９１は、ヒータ８８の基部近くをヒータ８８の長手方向に沿って覆うように取り付けられるＴ字管から構成されており、ヒータ８８の基部を覆うように取り付けられるステンレス製の液流形成ヘッド９２と、液流形成ヘッド９２の中央部から突出している分岐管９３とを備えている。
【００４３】
分岐管９３は、ゴムホース９４を介して、第１スプレーパイプ５１の分岐パイプ５１ｂに接続されている。これにより、第１スプレーパイプ５１を流れる現像液の一部が分流され、液流形成ヘッド９２に送られる。
【００４４】
液流形成ヘッド９２の一端は、ヒータ８８の外周面にほぼ密着しており、分流された現像液の流出が阻止される。また、液流形成ヘッド９２の他端側は、ヒータ８８の外周面との間に隙間が形成されており、この隙間内に、隙間形成リング（隙間保持部材）９５が嵌合されている。隙間形成リング９５は、円盤状の本体部９５ａにヒータ８８の軸径よりも径の大きい開口部９５ｂが形成され、開口部９５ｂの内側には、ヒータ８８の外周面に接触するリブ９５ｃが１２０°ピッチで３個形成されている。この３個のリブ９５ｃの先端により形成される円の径は、ヒータ８８の軸径と略同一に形成されている。これにより、隙間形成リング９５によって、ヒータ８８の外周面と液流形成ヘッド９２の内周面との隙間が一定に保たれ、ヒータ８８の外周面に現像液が均一にヒータ８８の長手方向に沿って流出する。従来の感光材料処理装置では、ヒータ８８の外周面に流れる現像液の流速は、０．０５ｍ／Ｓｅｃ以下であり、本実施形態では、従来の流速よりも速い０．５ｍ／Ｓｅｃ〜０．８ｍ／Ｓｅｃとされている。なお、ヒータ８８の外周面に流れる現像液の流速は、０．０５ｍ／Ｓｅｃ〜５．０ｍ／Ｓｅｃ、好ましくは０．２ｍ／Ｓｅｃ〜２．０ｍ／Ｓｅｃ、より好ましくは０．５ｍ／Ｓｅｃ〜０．８ｍ／Ｓｅｃである。また、リブ９５ｃの個数は、３個に限定されることなく、適宜変更されるものである。さらに、隙間形成リング９５の内周面の全周でヒータ８８の外周面を受け、隙間形成リング９５に現像液を流出するための流出開口（例えば、複数の丸孔や長孔等）を隙間形成リング９５の長手方向に沿って形成するようにしてもよい。
【００４５】
ヒータ８８の加熱により、液流形成ヘッド９２の内部を流れる現像液が加熱され、ヒータ８８から離れた位置の現像液の温度（例えば、２０℃）よりも２℃高い温度（２２℃）に加熱される。
【００４６】
液流形成ヘッド９２には、ヒータ８８を覆うように、ステンレス製の円筒状のヒータカバー（ガイドカバー）９６が取り付けられている。ヒータカバー９６の内周面とヒータ８８の外周面との間には隙間が形成されており、この隙間内のヒータカバー９６の先端側に、隙間形成リング９５が嵌合されている。隙間形成リング９５によって、ヒータ８８の外周面とヒータカバー９６の内周面との隙間が一定に保たれる。これにより、第１スプレーパイプ５１の分岐パイプ５１ｂから流れ出る現像液は、液流形成ヘッド９２、ヒータカバー９６によって、ヒータ８８の外周面に長手方向に沿って現像液流れ方向Ｂに流れるようになる。つまり、ヒータ８８の周面には、常に現像液が現像液流れ方向Ｂに流れており、この液流によりヒータ８８の表面温度を低下させることができるため、ＰＳ版１２の現像により現像液中に溶け出した画像着色剤の分散状態が高温の現像液によって壊されて、画像着色剤がヒータ８８の表面に析出して固形化することを防止することができる。したがって、固形化したものの一部がヒータ８８から離れてＰＳ版１２に付着して印刷時に印刷汚れとなって現れることがなくなるから、ＰＳ版１２の品質を向上することができる。
【００４７】
図４に示すように、ヒータカバー９６の内周面は、現像液流れ方向Ｂに沿ってヒータ８８との間の隙間が次第に狭くなるようなテーパ面９６ａとされている。現像液の流れが一定流速の場合は、現像液の温度がヒータ８８によって上昇するため、ヒータ８８の表面温度はヒータ８８の長手方向の先端に向かって高くなる傾向がある。本実施形態では、このテーパ面９６ａの勾配Ｃを、１３／１０００としている。なお、勾配Ｃは、１／１０００〜５０／１０００が好ましく、より好ましくは５／１０００〜３０／１０００である。この勾配により、現像液の流速は、ヒータ８８の長手方向の先端に向かって次第に速くなるため、ヒータ８８の全周に亘って表面温度を一定温度以下にすることができる。
【００４８】
図２に示すように、ヒータカバー９６の上方には、過熱防止センサ９７が組み付けられた板状の取付ブラケット９８が設けられている。取付ブラケット９８は、先端部に形成された取付孔９８ａにヒータ８８が挿通され、後端部が現像槽２４の側壁に形成された取付板２４ｂにビス締め固定されている。過熱防止センサ９７は、過熱防止用液体が封入された直方体状に形成されており、金属チューブを介して電気接点に接続されている。そして、現像液が所定温度（例えば、５５℃）以上になると、過熱防止用液体が膨張し、金属チューブを介して電気接点をオフにしてヒータ８８を遮断する。なお、過熱防止センサは、過熱防止用液体が封入されたセンサに限定されることなく、現像液の過熱状態を検出することができるものであればよい、
【００４９】
上記のような現像液の強制流れによってヒータ８８の表面近くの現像液温度を８０℃以下に抑えることによるヒータ８８表面での画像着色剤の析出抑制に加えて、ヒータ８８への供給電力を制御することにより、より一層の析出防止を図るようにしてもよい。この場合には、現像液中の画像着色剤含有量を累積計算して、処理補充及び経時補充後に画像着色剤含有率を演算する。そして、この画像着色剤含有率からヒータ８８への供給電力を制御して、ヒータ８８の表面近くの現像液温度が８０°Ｃを超えることがないようにする。
【００５０】
図１に示す制御部８６には、図５に示すようなヒータコントローラ１００が設けられており、このヒータコントローラ１００によってヒータ８８を加熱制御する。なお、制御部８６は、ＰＳ版プロセッサ１０内の各機器の作動を制御する一般的機能を備えているが、本実施形態では、このうちのヒータ８８の加熱制御を説明する。
【００５１】
ヒータコントローラ１００には、ドライバ１０１の他に、画像着色剤含有率演算部１０２、メモリ１０３、時間設定部１０４、加熱判定部１０５、タイミング設定部１０６、ゼロクロス検出部１０７が設けられている。ドライバ１０１は、交流電源１０８から供給される交流電力のヒータ８８への供給及び遮断を行う。ヒータコントローラ１００は、ヒータ８８へ供給する交流電圧の実効値を制御することにより、実効値に応じてヒータ８８を発熱させ、現像液を加熱する。このとき、ヒータ８８の表面近くの現像液温度を８０°Ｃ以上に加熱することがないように、現時点での現像液の画像着色剤含有率を演算しながら、この画像着色剤含有率に応じて、ヒータ８８へ供給する交流電圧の実効値を制御する。なお、画像着色剤含有率演算部１０２にはＰＳ版センサ１１０が接続されており、加熱判定部１０５にはサーミスタ８９が接続されている。ＰＳ版センサ１１０は、挿入口３２の近くで内側に配置されており、ＰＳ版１２を検出したときにオン信号を出力する。このオン信号に基づき、ＰＳ版１２の先端通過や後端通過が検出されるとともに、ＰＳ版１２の長さが求められる。
【００５２】
図６にヒートコントローラ１００による現像液温調制御のフローチャートを示す。まず、画像着色剤含有率が変動したか否かを判定する。この判定は、一定期間毎にこの期間内に補充液の補充があったか否か、版処理量（版処理面積）が一定値を超えたか否かで判定される。変動有りと判定されたときには、画像着色剤含有率が演算されて、これがメモリ１０３に格納され、更新される。次に、現時点での画像着色剤含有率が読み出され、これに基づきデューティ比が決定される。次に、サーミスタ８９によって現像液の液温度が検出され、この検出温度に基づき現像液が温度調節される。温調では、現像液の温度が一定温度範囲になるように、現像液温度が下限値未満になったときにヒータ８８がオンにされ、加熱が行われる。また、現像液温度が上限値を超えるときにヒータ８８がオフにされる。このヒータ８８による加熱制御時に、画像着色剤含有率に基づきデューティ比が決定され、このデューティ比によってヒータ８８への電力が制御される。
【００５３】
画像着色剤含有率演算部１０２は、図７に示すようなフローチャートに基づき画像着色剤含有率Ｄを演算する。メモリ１０３には現時点での画像着色剤含有率Ｄが記憶されている。画像着色剤含有率Ｄは、ＰＳ版１２の版処理面積に基づく液補充や、現像液の劣化を補償するための経時補充があったときに、画像着色剤含有率演算部１０２によって新たに求められ、この新たな値がメモリ１０３に記憶されて更新される。そして、現像液を新しく作る新液調製時には、この値が「０」にリセットされる。
【００５４】
画像着色剤含有率Ｄの演算は次のようにして行う。まず、版処理面積Ｓ［ｍ2］が求められる。この版処理面積Ｓは、図１に示すように、ＰＳ版プロセッサ１０の挿入口３２に配置されたＰＳ版センサ１１０のオン時間とＰＳ版１２の平均版幅の入力データにより算出される。ＰＳ版の平均版幅はオペレータなどによって図示しないデータ入力部から入力される。なお、このような平均版幅データを用いる代わりに、挿入口３２にＰＳ版の幅検出センサを設け、この幅検出信号とＰＳ版センサ１１０のオン時間とにより版処理面積Ｓを求めてもよい。
【００５５】
次に、求めた版処理面積Ｓに基づき、処理面積に応じた補充量（面積補充量）Ｒｓ［リットル］を次式から求める。
Ｒｓ＝Ｓ×ｒ
なお、ｒは単位面積（１ｍ2）当たりの面積補充量［リットル/ｍ2］であり、各機種毎に予め求められて、メモリ１０３に記憶されている。
【００５６】
次に、経時補充量Ｒｈ［リットル］を求める。この経時補充量Ｒｈは、現像液が運転及び停止時に空気中の炭酸ガスに接触することにより劣化するのを補償するもので、予め機種毎に単位経過時間当たりの補充量が待機時と運転時とに分けて求められており、例えば新液が調製されたときから起算した累積待機時間及び累積運転時間に基づき求められる。
【００５７】
次に、画像着色剤溶出量Ｑ［ｇ］を求める。画像着色剤溶出量Ｑは、現像液中に、ＰＳ版１２の露光部分から現像液中に溶出する画像着色剤の値であり、次の式から求められる。
Ｑ＝Ｓ×（Ｋ／１００）×ｑ
なお、ｑはＰＳ版１２の単位面積（１ｍ2）当たりの画像着色剤含有量であり、処理するＰＳ版の種別毎に予め求められており、メモリ１０３に記憶されている。
【００５８】
次に、現像液に溶出した画像着色剤含有率Ｄ［ｇ／リットル］を求める。この画像着色剤含有率Ｄは、版処理面積及び補充液量により次式から求められる。
Ｄ＝Ｑ／（Ｖ＋Ｒｓ＋Ｒｈ）
求めた画像着色剤含有率Ｄはメモリ１０３に記憶され、画像着色剤含有率Ｄが更新される。以下、運転時間中に一定時間経過毎に、及び液補充毎に画像着色剤含有率Ｄが求められて更新される。
【００５９】
ヒータコントローラ１００では、ヒータ８８を作動させるときに、交流電圧の半サイクル中で、電力を供給するオン時間と、電力の供給を遮断するオフ時間を設定し、この設定結果に基づいてドライバ１０１を作動させる。すなわち、ドライバ１０１はヒータ８８を作動させるときに、図８に示すように、交流電圧の半サイクル中で、オン時間ＴONの間、ヒータ８８へ通電し、オフ時間ＴOFFの間、通電を停止する。なお、（Ｂ）は、ドライバ１０１のオン／オフを示し、（Ａ）は、ドライバ１０１のオン／オフに応じた出力電圧（瞬時値）の変化を実線で示している。なお、（Ａ），（Ｂ）はデューティ比８０％のときを、（Ｃ），（Ｄ）はデューティ比５０％のときをそれぞれ示している。
【００６０】
時間設定部１０４では、メモリ１０３から現時点での画像着色剤含有率Ｄを読み出して、この画像着色剤含有率Ｄからヒータ駆動デューティ比を求める。画像着色剤含有率Ｄとヒータ駆動デューティ比との関係は予め求められている。図９は、この画像着色剤含有率Ｄとヒータ駆動デューティ比との関係を示す一例であり、画像着色剤含有率Ｄが「０」の状態ではデューティ比が１００％となっており、ＰＳ版１２の処理によって画像着色剤含有率Ｄが高くなると、デューティ比は次第に低下する。本実施形態では、１０［ｇ／リットル］で９５％、２０［ｇ／リットル］で７０％、３０［ｇ／リットル］で５５％、４０［ｇ／リットル］で５０％、５０［ｇ／リットル］で５０％にしている。そして、求めたデューティ比によって、オン時間ＴONを制御することにより、ヒータ８８の表面近くの現像液の温度が８０°Ｃを超えることがないように、ヒータを加熱制御する。
【００６１】
すなわち、時間設定部１０４は、現像液の画像着色剤含有率Ｄが高いときには、オン時間ＴONを短くしてヒータ８８の発熱量を下げ、現像液の画像着色剤含有率が低いときには、オン時間ＴONを長くする。
【００６２】
ゼロクロス検出部１０７は、交流電源１０８から入力される交流電圧の極性が切り替るゼロクロス点Ｐ（図８（Ａ）参照）を検出する。また、タイミング設定部１０６では、ゼロクロス検出部１０７の検出結果と、時間設定部１０４で設定したオン時間ＴONに基づいて、ドライバ１０１を作動させる。
【００６３】
さらに、ヒータコントローラ１００には、加熱判定部１０５が設けられている。この加熱判定部１０５はサーミスタ８９によって現像液の温度を検出しており、この検出温度が一定値以下になったときに時間設定部１０４にヒータオン信号を出力する。また、サーミスタ８９の検出温度が一定値を超えたときに、時間設定部１０４にヒータオフ信号を出力する。したがって、ヒータオン信号が出力されたときには、現時点での画像着色剤含有率に基づきデューティ比が求められ、これに基づきオン時間ＴONが設定される。これによって、現像液内の画像着色剤含有率Ｄに基づきヒータ８８の発熱量が制御されるため、熱により画像着色剤の分散状態が壊れてヒータ８８の表面に画像着色剤が析出して固形化してしまうということがなく、固形物がＰＳ版１２に付着して発生する印刷汚れなどの発生もなくなる。
【００６４】
このように構成されているＰＳ版プロセッサ１０では、図示しない焼付装置等によって画像が記録されたＰＳ版１２が挿入口４１から挿入されると、現像部１４へと送り込まれる。ＰＳ版センサ１１０は、ＰＳ版１２の先端が通過するとオンになり、その後端が通過するとオフになる。このＰＳ版センサ１１０のＰＳ版先端検出信号に基づき図示しない制御部内のタイマ（図示せず）を作動させて、このタイマの経過時間に基づきＰＳ版１２を搬送するための駆動手段の制御と共に、水洗部１６での水洗水の吐出タイミングや、不感脂化処理部１８におけるガム液の吐出タイミングを決定する。
【００６５】
現像部１４に送り込まれたＰＳ版１２は現像液に浸漬されることにより、露光画像に応じて感光層の不要部分が膨潤し、膨潤した感光層が支持体から除去される。このときに、ブラシローラ６０によってＰＳ版１２の表面をブラッシングすることにより、ＰＳ版１２の表面からの不要な感光層の除去が促進される。現像処理後は水洗処理、不感脂化処理、乾燥処理が順に行われる。
【００６６】
上記のように構成されたＰＳ版プロセッサ１０の作用について説明する。循環ポンプ５３が作動すると、現像槽２４内の現像液がフィルタ５４を介して第１,第２スプレーパイプ５１,５２に供給される。第１スプレーパイプ５１に供給された現像液は、そのままを第１スプレーパイプ５１を流れるものと、分岐パイプ５１ｂに流れるものとに分流される。第１スプレーパイプ５１を流れる現像液は、噴射口５１ａから噴射される。分岐パイプ５１ｂを流れる現像液は、分岐管９３を通って液流形成ヘッド９２に送られ、液流形成ヘッド９２、ヒータカバー９６によって、ヒータ８８の長手方向の外周面に沿って現像液流れ方向Ｂに流れ、ヒータカバー９６の先端から現像槽２４に吐出される。これによって、ヒータ８８の周面には、常に現像液が現像液流れ方向Ｂに流れることになる。このとき、ヒータ８８の周辺温度を測定すると、ヒータ８８の長手方向の全長において、８０℃以下のほぼ均一の温度分布となる測定結果が得られた。したがって、ＰＳ版１２の現像により現像液中に溶け出した画像着色剤がヒータ８８に析出して固形化することが抑制される。また、固形化したものの一部がヒータ８８から離れてＰＳ版１２に付着して印刷時に印刷汚れとなって現れることがなくなり、ＰＳ版１２の品質を向上することができる。さらに、ヒータカバー９６は、内周面であるテーパ面９６ａが、現像液流れ方向Ｂに沿ってヒータ８８との間の隙間が小さくなるような勾配Ｃを有するから、この勾配Ｃにより、現像液の流速がヒータカバー９６の先端ほど速くなり、先端の温度が高くなる傾向があるヒータ８８の表面温度を全体に亘って一定温度以下にすることができる。
【００６７】
さらに、現像液中の画像着色剤含有量を累積計算して、処理補充及び経時補充後に画像着色剤含有率を演算し、この画像着色剤含有率からヒータ８８への供給電力を制御して、ヒータ表面近くの現像液温度が８０°Ｃを超えることがないようにし、ヒータ８８の表面に画像着色剤が析出して固形化してしまうことがないようにすることにより、固形物がＰＳ版１２に付着して発生する印刷汚れなどの発生がより一層確実に防止される。
【００６８】
定期的なメンテナンス等において、ヒータ８８を清掃する場合には、現像槽２４内の現像液を全て抜き取り、液流形成ユニット９１とヒータカバー９６とを取り外してから行う。これにより、液流形成ユニット９１とヒータカバー９６とが取り外し不能に設けられているものに比べて、ヒータ８８の清掃を容易に行うことができる。
【００６９】
本発明に用いる感光性平版印刷版は、特に限定されるものではなく、支持体上に感光層、感熱層などの画像記録層を設けた種々の平版印刷版原版を挙げることができる。画像記録層としては、例えば、特開平７-２８５２７５号公報及び特願２００２−１５４２７９号明細書に記載されたサーマルポジタイプ、特開平７-２０６２５号公報又は特開平１１-２１８９０３号明細書に記載されたサーマルネガタイプ及び特開２００１−１００４１２号、特開２００２−１６９２８２号明細書に記載されたフォトポリネガタイプ等が挙げられる。特に好ましくは、特開平１１−２１８９１４号、特願２００２−４９９７０７号、特願２００３−１８９０９５号、特願２００３−１８１１２１号明細書に記載された重層の感熱性ポジ型平版印刷版が挙げられる。
【００７０】
感熱性ポジ型平版印刷版は感熱層の構成として、赤外線吸収染料、アルカリ可溶性樹脂などがあるが、アルカリ可溶性樹脂（水不溶性且つアルカリ水可溶性の樹脂）は、従来公知のものであれば特に制限はないが、（１）フェノール性水酸基、（２）スルホンアミド基、（３）活性イミド基のいずれかの官能基を分子中に有する高分子化合物であることが好ましい。この感熱層を形成するにあたっては、上記の成分の他に必要に応じて、種々の以下の添加剤を添加することができる。
【００７１】
平版印刷版原版のインヒビション（溶解性阻害）を高める目的で、該感熱層に、種々のインヒビターを含有させることができる。このインヒビターとしては特に限定されないが、４級アンモニウム塩、ポリエチレングリコール系化合物等が挙げられる。また、このインヒビション（溶解性阻害）改善の施策を行った場合、感度の低下が生じるが、この場合、ラクトン化合物を添加物することが有効である。さらに、感光層表面の溶解阻止性の強化とともに表面のキズに対する抵抗力を強化する目的で、特開２０００−１８７３１８号公報に記載されているような、分子中に炭素数３〜２０のパーフルオロアルキル基を２又は３個有する（メタ）アクリレート単量体を重合成分とする重合体を併用することが好ましい。また、感度を更に向上させる目的で、酸無水物類、フェノール類、有機酸類を併用することもできる。
【００７２】
感熱層中には、塗布性を良化するため、現像条件に対する処理の安定性を広げるために界面活性剤を含ませることもできる。また、感熱層中には、露光による加熱後直ちに可視像を得るための焼き出し剤や、画像着色剤としての染料や顔料を加えたり、必要に応じて塗膜の柔軟性等を付与するために可塑剤を加えたり、さらには、ワックス剤を入れて、キズに対する抵抗性を付与する目的で、表面の静摩擦係数を低下させる化合物を添加したりすることもできる。
【００７３】
平版印刷版原版は、通常上記各成分を含有する版材の感熱層組成物を溶媒に溶かして、適当な支持体上に塗布することにより製造することができる。
【００７４】
本発明において使用される現像液は、以下の成分を含んでいる。本発明の現像に用いられる現像液及び現像補充液は、ｐＨ１０．０〜１３．５、より好ましくは１１．０〜１３．３のアルカリ水溶液である。かかる現像液および現像補充液としては従来より知られているアルカリ水溶液が使用できる。例えば、ケイ酸ナトリウム、同カリウムなどの無機アルカリ剤が挙げられる。また、モノメチルアミン、ジメチルアミンなどの有機アルカリ剤も用いられる。
【００７５】
印刷版を現像液中で処理すると不要な感熱層が現像液中に溶出してくるが、現像液中に溶出して分散している感熱層中の成分、例えば画像着色剤の分散状態がヒータの熱によって壊されて析出してしまうことがある。この析出は画像着色剤に限らず、他の感熱層中の成分でも生ずることがある。
【００７６】
なお、本実施形態では、ヒータ８８を円柱状で長形状のものから構成したが、本発明は、断面が多角形のヒータや、球形のヒータや、多面体（例えば、８面体や１２面体等）のヒータ等にも適用することができ、その場合には、液流形成ユニット９１、隙間形成リング９５、ヒータカバー９６を、ヒータの形状に応じた形状で形成する。
【００７７】
また、本実施形態では、液流形成ユニット９１の液流形成ヘッド９２により現像液をヒータ８８の長手方向に沿って流出させるようにしたが、現像液をヒータ８８の外周面の長手方向に沿って流すことができればよく、例えば、現像槽２４内に小型ポンプを配置し、この小型ポンプにより現像液をヒータ８８の外周面の長手方向に沿って流すようにしてもよい。
【００７８】
さらに、本実施形態では、液流形成ヘッド９２を、ヒータ８８の取付側端部に設けたが、先端側に設けたり、中央部に設けたりしてもよく、中央部に設ける場合には、液流形成ヘッド９２の両端に流出開口を形成し、ヒータ８８の両端部へ向けて現像液を流出させるようにしてもよい。
【００７９】
また、本実施形態では、液流形成ユニット９１とヒータカバー９６とを別部材として構成したが、１つの部材として一体的に構成してもよい。
【００８０】
さらに、本実施形態では、隙間形成リング９５により、ヒータ８８の外周面とヒータカバー９６の内周面との隙間を一定に保つようにしたが、ヒータカバー９６を液流形成ヘッド９２に取り付けるだけで、ヒータ８８の外周面とヒータカバー９６の内周面との隙間を一定に保つことができる場合には、ヒータカバー９６の隙間形成リング９５は省略してもよい。
【００８１】
また、本実施形態では、ヒータカバー９６を液流形成ヘッド９２に取り付け、液流形成ヘッド９２から流れ出る現像液を、ヒータ８８の長手方向の周面に沿って現像液流れ方向Ｂに流れるようにしたが、液流形成ヘッド９２から流れ出る現像液がヒータ８８の長手方向の周面に沿って現像液流れ方向Ｂに流れるように液流形成ヘッド９２が形成されている場合には、ヒータカバー９６は省略してもよい。
【００８２】
さらに、本実施形態では、ヒータ駆動制御の制御パラメータとして画像着色剤含有率Ｄを用いているが、この画像着色剤含有率Ｄと関連するパラメータであればよく、例えば現像処理液の累積処理時間、処理液補充量などを用いて、これらパラメータとヒータ駆動電力との関係を予め求めておき、これに基づきヒータを駆動制御してもよい。この場合には、現像処理液の累積処理時間に基づき累積処理時間の増加に伴いヒータ駆動電力を減らす処理を行う。また、この累積処理時間に基づくヒータ駆動制御において、処理液補充量を加味して累積処理時間を補正してもよい。
【００８３】
また、本実施形態では、交流電圧の半サイクル内でのオン時間ＴONを設定したが、これに限らず、例えば、ヒータ８８へ電力を供給する交流電圧のオンサイクルと、供給を停止するオフサイクルを設定し、オンサイクルとオフサイクルの比率によってヒータ８８へ供給する交流電圧の実効値を制御する、いわゆるサイクル制御を行ってもよい。
【００８４】
さらに、本実施形態では、交流電源１０８を用いてヒータ８８を駆動させ発熱させているが、ヒータ８８の表面近くの現像液の温度が一定値を超えないように加熱することができるものであれば良く、直流電源でヒータを駆動させてもよい。この場合、ヒータにパルス波形の電圧を供給するようにし、デューティ比を制御するなどの任意の制御方法を用いることができる。
【００８５】
また、本実施形態では、感光材料処理装置として、フォトポリマー版などの印刷版（ＰＳ版１２）を処理するＰＳ版プロセッサ１０を例に説明したが、ヒータ８８に析出して固形化するものを含む処理液を用いる感光材料処理装置であれば、適用可能であり、これにより処理液中での固形物の発生がなくなる。また、感光材料処理装置用のヒータに限らず、他の各種液中ヒータに対し、本発明を適用してもよい。
【図面の簡単な説明】
【００８６】
【図１】本発明を実施したＰＳ版プロセッサを示す概略図である。
【図２】現像槽の内部を示す斜視図である。
【図３】ヒータ、液流形成ユニット、隙間形成リング、ヒータカバーを示す分解斜視図である。
【図４】ヒータ、分岐パイプ、液流形成ユニット、隙間形成リング、ヒータカバーを示す側面断面図である。
【図５】ヒータコントローラを示すブロック図である。
【図６】現像液温調処理を示すフローチャートである。
【図７】画像着色剤含有率の演算処理を示すフローチャートである。
【図８】（Ａ），（Ｃ）はヒータに供給される交流電圧の波形の一例を示す線図であり、（Ｂ），（Ｄ）はヒータを駆動する信号の一例を示す線図である。
【図９】画像着色剤含有率とヒータ駆動デューティ比との関係の一例を示す線図である。
【符号の説明】
【００８７】
１０  ＰＳ版プロセッサ（感光材料処理装置）
１２  ＰＳ版（感光材料）
２２  処理タンク
２４  現像槽（処理槽）
２４ａ  排出口
５１  第１スプレーパイプ（処理液供給パイプ）
５１ａ  噴射口
５１ｂ  分岐パイプ
５２  第２スプレーパイプ（処理液供給パイプ）
５２ａ  噴射口
５３  循環ポンプ
５４  フィルタ
７０  配管
７２  配管
８８  ヒータ
９１  液流形成ユニット（液流形成手段）
９２  液流形成ヘッド
９３  分岐管（分岐部）
９４  ゴムホース
９５  隙間形成リング（隙間保持部材）
９６  ヒータカバー（ガイドカバー）
【図１】
2006047383.tif 000003
【図２】
2006047383.tif 000004
【図３】
2006047383.tif 000005
【図４】
2006047383.tif 000006
【図５】
2006047383.tif 000007
【図６】
2006047383.tif 000008
【図７】
2006047383.tif 000009
【図８】
2006047383.tif 000010
【図９】
2006047383.tif 000011